(57)【要約】      【課題】  映像の解像感を良好に向上させつつも、飽和部分において輪郭強調により副次的に発生し得るノイズを低減させる。      【解決手段】  管腔を撮像可能な撮像素子を有した電子内視鏡と、撮像素子の各画素の出力信号に所定の処理を施す信号処理手段と、該所定の処理が施された処理後信号が飽和しているか否かを判定する飽和判定手段と、判定結果に基づいて該処理後信号に対する輪郭強調の度合いを設定する輪郭強調設定手段と、設定された度合いで該処理後信号に輪郭強調処理を施す輪郭強調処理手段とを備えた電子内視鏡システムを提供する。【選択図】      図２
2007117154.tif 000002
【特許請求の範囲】
【請求項１】
管腔を撮像可能な撮像素子を有した電子内視鏡と、
前記撮像素子の各画素の出力信号に所定の処理を施す信号処理手段と、
該所定の処理が施された処理後信号が飽和しているか否かを判定する飽和判定手段と、
判定結果に基づいて該処理後信号に対する輪郭強調の度合いを設定する輪郭強調設定手段と、
設定された度合いで該処理後信号に輪郭強調処理を施す輪郭強調処理手段と、を備えたこと、を特徴とする電子内視鏡システム。
【請求項２】
前記輪郭強調設定手段は、前記飽和判定手段により飽和したと判定された処理後信号に対する輪郭強調の度合いを、飽和していないと判定された処理後信号よりも低く設定すること、を特徴とする請求項１に記載の電子内視鏡システム。
【請求項３】
前記輪郭強調設定手段は、前記飽和判定手段により飽和したと判定された処理後信号に対して輪郭強調を施さないよう設定すること、を特徴とする請求項１又は請求項２の何れかに記載の電子内視鏡システム。
【請求項４】
隣接画素間における処理後信号の出力値の差を検出する差分検出手段と、
検出された差が所定の範囲内か否かを判定する輝度差判定手段と、を更に備え、
前記輝度差判定手段により所定の範囲内と判定されたとき、前記輪郭強調設定手段は、前記隣接画素に対する輪郭強調の度合いを、該差が該所定の範囲に収まらないと判定された画素よりも高く設定すること、を特徴とする請求項１から請求項３の何れかに記載の電子内視鏡システム。
【請求項５】
前記輪郭強調設定手段は、前記飽和判定手段の判定結果が処理後信号の飽和を表すものであるとき、その判定結果を前記輝度差判定手段の判定結果よりも優先させて輪郭強調の度合いを設定すること、を特徴とする請求項４に記載の電子内視鏡システム。
【請求項６】
前記飽和判定手段は、検出された輝度信号の値が白レベルを示す値以上であるとき、その画素が飽和していると判定すること、を特徴とする請求項１から請求項５の何れかに記載の電子内視鏡システム。
【発明の詳細な説明】
【技術分野】
【０００１】
この発明は、その先端部に低画素ＣＣＤを搭載した電子内視鏡を備えた電子内視鏡システムに関する。
【背景技術】
【０００２】
その先端部に撮像素子を備えた電子内視鏡と、該撮像素子から出力される信号を処理してモニタに出力するプロセッサとを備えた電子内視鏡システムが広く知られ実用に供されている。
【０００３】
電子内視鏡は例えば患者の管腔内に挿入されて用いられる。電子内視鏡による管腔の圧迫を軽減させて患者に対する負担を軽減させるため、電子内視鏡をできる限り細径化させることが恒常的に要求されている。電子内視鏡を細径化させるための方法の一つとして、例えば先端に設置されるべき撮像素子に低画素ＣＣＤ（Charge Coupled Devices）を採用することが挙げられる。低画素ＣＣＤ（例えば３０万画素以下のＣＣＤとする）は高画素ＣＣＤと比較してそのサイズ（受光面の面積）が小さい。このため、電子内視鏡を細径化させる要因となり得る。例えば下記特許文献１には低画素ＣＣＤを搭載した電子内視鏡が記載されている。
【０００４】
電子内視鏡システムには、観察対象である管腔を照明するための光源が備えられている。ここで、光源からの照明光が強く当てられている部分は非常に明るい。従ってその部分からの反射光量は非常に多く、これを受光した画素（ＣＣＤの受光面上に配列された受光素子）の出力電圧は飽和し得る。このため、光源からの照明光が強く当てられている部分はモニタ上で白く表示され得る。
【特許文献１】特開２００２−１１２９５８号公報
【発明の開示】
【発明が解決しようとする課題】
【０００５】
一般に体腔内の生体組織は単調でのっぺりとした色合いである。電子内視鏡システムを用いて例えば胃を撮影した場合、ピンクや赤み掛かった胃液が平面的で変化に乏しい映像としてモニタ上に表示される。特に低画素ＣＣＤは解像度が低いため、これにより撮影された映像は低コントラストになりがちである。従って観察対象がモニタ上でぼけて表示され得る。
【０００６】
観察対象が低コントラストとなることを改善するため、撮像で得られた信号に対して輪郭強調処理を施すことが一般に行われている。これにより、例えば輝度差の大きな境界部分（輪郭）のコントラストが強調されて、見掛け上ぼけが軽減される。すなわち解像感が向上する。
【０００７】
しかし、輪郭強調を映像に過度に掛けると解像感向上のトレードオフとしてノイズも強調されてしまう。また、例えば飽和部分（モニタ上で白く表示されている部分）において僅かな濃淡やランダムノイズ或いは色味のある部分との境界が強調されて、不自然な模様や縁（すなわちノイズ）としてモニタ上に表示されてしまうことがある。このような模様や縁は、観察対象に対する視認性や観察対象の再現性を低下させる要因となり得る。このような観点からすると、輪郭強調による補正度合いを好適に抑えることが望ましい。なお、上記濃淡は、単一のＣＣＤにおける各画素の感度特性のばらつきに起因して現れるものである。
【０００８】
しかしながら一方では、輪郭強調による補正度合いを抑えてしまうと例えば胃液等の低コントラストの被写体の解像感があまり向上せず、輪郭強調処理を施すメリットが薄れると言える。
【０００９】
そこで、本発明は上記の事情に鑑みて、映像の解像感を良好に向上させつつも、飽和部分において輪郭強調により副次的に発生し得るノイズを低減させることができる電子内視鏡システムを提供することを課題としている。
【課題を解決するための手段】
【００１０】
上記の課題を解決する本発明の一態様に係る電子内視鏡システムは、管腔を撮像可能な撮像素子を有した電子内視鏡と、撮像素子の各画素の出力信号に所定の処理を施す信号処理手段と、該所定の処理が施された処理後信号が飽和しているか否かを判定する飽和判定手段と、判定結果に基づいて該処理後信号に対する輪郭強調の度合いを設定する輪郭強調設定手段と、設定された度合いで該処理後信号に輪郭強調処理を施す輪郭強調処理手段とを備えたことを特徴とする。
【００１１】
上記電子内視鏡システムにおいて輪郭強調設定手段が、飽和判定手段により飽和したと判定された処理後信号に対する輪郭強調の度合いを、飽和していないと判定された処理後信号よりも低く設定するようにしても良い。
【００１２】
上記電子内視鏡システムにおいて輪郭強調設定手段が、飽和判定手段により飽和したと判定された処理後信号に対して輪郭強調を施さないよう設定するようにしても良い。
【００１３】
上記電子内視鏡システムは、隣接画素間における処理後信号の出力値の差を検出する差分検出手段と、検出された差が所定の範囲内か否かを判定する輝度差判定手段とを更に備えたものであっても良い。この場合において輝度差判定手段により所定の範囲内と判定されたとき、輪郭強調設定手段が、隣接画素に対する輪郭強調の度合いを、該差が該所定の範囲に収まらないと判定された画素よりも高く設定するようにしても良い。
【００１４】
上記電子内視鏡システムにおいて輪郭強調設定手段は、飽和判定手段の判定結果が処理後信号の飽和を表すものであるとき、その判定結果を輝度差判定手段の判定結果よりも優先させて輪郭強調の度合いを設定するようにしても良い。
【００１５】
上記電子内視鏡システムにおいて飽和判定手段は、検出された輝度信号の値が白レベルを示す値以上であるとき、その画素が飽和していると判定することができる。
【発明の効果】
【００１６】
本発明の電子内視鏡システムを採用すると、映像の解像感を良好に向上させつつも、飽和部分において輪郭強調により副次的に発生し得るノイズを低減させることができる。
【発明を実施するための最良の形態】
【００１７】
以下、図面を参照して、本実施形態の電子内視鏡システムの構成及び作用について説明する。
【００１８】
図１は、本発明の実施の形態の電子内視鏡システム１０の外観を概略的に示した図である。また、図２は、本発明の実施の形態の電子内視鏡システム１０の構成を示したブロック図である。本実施形態の電子内視鏡システム１０は、患者の管腔を観察・診断するためのシステムであり、電子内視鏡１００、プロセッサ２００、及び、モニタ３００を有している。
【００１９】
本実施形態の電子内視鏡１００の末端部にはコネクタユニット１１０が設けられている。コネクタユニット１１０は二本のピンプラグを有している。また、プロセッサ２００のフロント面にはプロセッサ側コネクタ部２１０が設けられている。プロセッサ側コネクタ部２１０は二つのジャックを有している。各対のピンプラグ−ジャックはそれぞれ光学的接続と電気的接続を果たすためのものである。従ってコネクタユニット１１０とプロセッサ側コネクタ部２１０とが接続されることにより、電子内視鏡１００とプロセッサ２００とが光学的且つ電気的に接続される。
【００２０】
コネクタユニット１１０にはユニバーサルコード１２０の一端が結合している。ユニバーサルコード１２０は可撓性を有しており、もう一端が操作部１３０に結合している。
【００２１】
操作部１３０は電子内視鏡１００を術者に操作させるための入力インターフェースである。操作部１３０を操作することにより、例えば観察領域を変更させたり管腔内に洗浄液を噴射させたりすることができる。操作部１３０には挿入部可撓管１４０の一端が結合している。
【００２２】
挿入部可撓管１４０は患者の管腔に挿入される管であり、可撓性を有している。その先端には先端部１５０が設けられている。操作部１３０の操作によって先端部１５０根元付近の挿入部可撓管１４０が屈曲されると先端部１５０のアングルが変化し、それに伴って観察領域も変更される。
【００２３】
先端部１５０は硬質性の素材（例えば樹脂）で形成されており、撮像処理に必要とされる各要素が設けられている。本実施形態における上記要素は、配光レンズ１５２、対物レンズ１５４、及び、ＣＣＤ１５６である。配光レンズ１５２、及び、対物レンズ１５４は先端部１５０の前面に設置されたレンズである。ＣＣＤ１５６は例えばベイヤー方式の低画素（例えば画素数が３０万以下）のカラーＣＣＤである。受光面には多数の画素（受光素子）がマトリクス状に配列されている。受光面前面にはオンチップカラーフィルタが搭載されている。カラーフィルタは、Ｒ（Red）、Ｇ（Green）、Ｂ（Blue）の何れかのカラーチップが各画素に対応してマトリクス状に配列されたものである。なお、ここで用いられるＣＣＤ１５６は原色フィルタを搭載したものに限定されず、例えば補色フィルタを搭載したものであっても良い。
【００２４】
なお、電子内視鏡１００内部にはその長手方向に沿ってライトガイド１６０が設置されている。ライトガイド１６０は光ファイバであり、その一端は光学的接続を果たすためのピンプラグ近傍（コネクタユニット１１０内部）に配置され、もう一端は配光レンズ１５２近傍に配置されている。また、コネクタユニット１１０内部には、ＣＣＤ１５６を駆動制御するためのＣＣＤ駆動制御回路１７０、及び、ＣＣＤ信号（後述）を所定の増幅率で増幅するアンプ１７２が実装されている。
【００２５】
プロセッサ２００は、装置全体の制御を統括的に行うシステムコントロールユニット２２０を有している。システムコントロールユニット２２０の制御下で、各構成要素での処理が実行される。また、光源装置として、ランプ２３０、ランプ制御回路２３２、及び、集光レンズ２３４を有している。
【００２６】
ランプ２３０は管腔内を照射するための白色光の光源である。ランプ２３０には例えばメタルハライドランプや、キセノンランプ、ハロゲンランプ等が想定される。ランプ２３０はランプ制御回路２３２の制御により白色光を放射する。ランプ２３０からの放射光は、ランプ２３０の前方に設置された集光レンズ２３４によって集光される。集光された光は、プロセッサ側コネクタ部２１０を介して電子内視鏡１００内部（より正確にはライトガイド１６０のコア）に入射する。
【００２７】
ライトガイド１６０に入射した光はその内部を伝送されて、先端部１５０側の端部から出射する。出射後、配光レンズ１５２を介して外部に放射されて管腔を照明する。これにより、外部から光の届かない管腔内が明るく照らされる。
【００２８】
配光レンズ１５２から放射された照明光は、管腔において反射されて対物レンズ１５４に入射する。ここで、ＣＣＤ１５６は、その受光面が対物レンズ１５４の結像面と実質的に同位置となるように配置されている。従って対物レンズ１５４に入射した光は、対物レンズ１５４のパワーによりＣＣＤ１５６の受光面上で管腔の光学像として結像される。ＣＣＤ１５６はＣＣＤ駆動制御回路１７０の制御により駆動して、各画素において結像された光学像をその光量に応じた電荷として蓄積してＣＣＤ信号に変換する。変換されたＣＣＤ信号は、ＣＣＤ駆動制御回路１７０の制御により、ＣＣＤ１５６から所定のタイミングで出力される。出力後、アンプ１７２により所定の増幅率で増幅されてプロセッサ２００に出力される。なお、プロセッサ２００には各画素のＣＣＤ信号が所定の順序で出力される。
【００２９】
アンプ１７２の増幅率について説明する。アンプ１７２の増幅率は、再現性の高い映像が得られるレベルにＣＣＤ信号を増幅させるよう設定される。ここで、画素における入射光量と出力電圧値との関係には、リニアな状態となる線形領域と飽和状態となる飽和領域とが存在する。高い再現性で映像を表示させるためには、入射光量と出力電圧値とが線形領域内のＣＣＤ信号を用いることが望ましい（換言すると、飽和領域内のＣＣＤ信号を用いないことが望ましい）。なお、上記線形領域と上記飽和領域との境界に対応した電圧値を、「出力飽和電圧値」と記す。
【００３０】
各画素における出力飽和電圧値は、画素毎の感度特性のばらつきに起因してそれぞれ異なる。ここでいう感度特性とは、入射光量に対する出力電圧値の比で表される。出力飽和電圧値が最も低い画素に合わせてアンプ１７２の増幅率を設定すると、全ての画素において、ＣＣＤ信号の出力電圧値が線形領域内に収まる。アンプ１７２の増幅率は、最も低い出力飽和電圧値を所定範囲の上限値（白レベル）にさせる値に設定される。なお、出力電圧値が所定範囲の上限値であるとき、その部分はモニタ３００上で白く表示される。また、出力電圧値が所定範囲の下限値（黒レベル）であるとき、その部分はモニタ３００上で黒く表示される。
【００３１】
次に、プロセッサ２００で実行される信号処理について説明する。プロセッサ２００は、ＣＣＤ信号の処理に関わる手段として、絶縁回路２４０、ＣＣＤ信号処理回路２４２、飽和レベル検出回路２４４、比較回路２４６、輪郭強調制御回路２４８、輪郭強調回路２５０、ラインメモリ２５２、ビデオ信号処理回路２５４、及び、出力回路２５６を有している。
【００３２】
電子内視鏡１００から出力された各画素のＣＣＤ信号は、プロセッサ側コネクタ部２１０及び絶縁回路２４０を介してＣＣＤ信号処理回路２４２に入力する。なお、絶縁回路２４０は、電子内視鏡１００とプロセッサ２００との間を伝送する信号を、例えばフォトカップラ等で別の媒体（ここでは光）に一時的に変換することにより、電子内視鏡１００とプロセッサ２００とを電気的に絶縁させている。
【００３３】
ＣＣＤ信号処理回路２４２は周知の信号処理を実行し、入力される各画素のＣＣＤ信号を一つ一つ順次演算して、色成分（Ｒ成分、Ｇ成分、Ｂ成分の何れか）に関する信号（以下、「色成分信号」と記す）、及び、輝度信号を生成する。なお、ＣＣＤ信号処理回路２４２で生成された色成分信号、及び、それに対応した輝度信号のセットを「画像信号」と記す。ＣＣＤ信号処理回路２４２は、一画素に対応した画像信号を生成する毎に、当該画像信号をラインメモリ２５２に出力すると共に、それに対応した輝度信号の電圧値を示す情報（以下、「輝度値情報」と記す）を算出して飽和レベル検出回路２４４、及び、比較回路２４６に出力する。従って飽和レベル検出回路２４４及び比較回路２４６には、各画素に対応した輝度値情報がシリアルで入力される。
【００３４】
飽和レベル検出回路２４４は、シリアルで入力される輝度値情報を、順次、所定の閾値と比較してその結果を輪郭強調制御回路２４８に出力する。なお、所定の閾値とは上記所定範囲の上限値すなわち白レベルに対応した値である。
【００３５】
輪郭強調制御回路２４８は、飽和レベル検出回路２４４からの比較結果に基づいて画素（より正確には輝度信号）の飽和判定処理を実行する。具体的には、比較結果において輝度値情報が所定の閾値以上を表す場合、それに対応した輝度信号が飽和していると判定する。これに対して、比較結果において輝度値情報が所定の閾値よりも低いことを表す場合、それに対応した輝度信号が飽和していないと判定する。前者の判定結果を下した場合、輪郭強調回路２５０に第一の制御信号を出力する。後者の判定結果を下した場合、後述の第二又は第三の制御信号の何れか一方を出力する。
【００３６】
比較回路２４６は、例えば一ライン分の画素に対応した輝度値情報を格納可能なメモリ領域を有している。メモリ領域は例えば複数のセクタから成る。各セクタは一つの輝度値情報を格納できるよう構成されている。比較回路２４６は、シリアルで入力される輝度値情報を各セクタに一時的に格納する。次いで、シリアルな二つの輝度値情報（一の画素に対応する輝度値情報と、それに隣接した画素に対応する輝度値情報）の差分（すなわちこれら二画素間における輝度信号の出力値の差）を、順次、差分に関わる所定の範囲（以下、「所定の差分範囲」と記す）と比較してその結果を輪郭強調制御回路２４８に出力する。
【００３７】
輪郭強調制御回路２４８は比較回路２４６からの比較結果に基づいて、隣接画素間において輝度信号の出力値の差が所定の差分範囲内であるか否かを判定する。上記差が所定の差分範囲に収まらない場合、それらの画素間のコントラストが比較的高いことを示す。これに対して上記差が所定の差分範囲内である場合、それらの画素間のコントラストが低いことを示す。前者の場合、輪郭強調制御回路２４８は輪郭強調回路２５０に第二の制御信号を出力する。これに対して後者の場合には第三の制御信号を出力する。
【００３８】
なお、輪郭強調制御回路２４８は、飽和レベル検出回路２４４からの比較結果に基づいて画素が飽和していると判定したとき、当該画素に関してはその判定結果を最優先させる。すなわち輪郭強調制御回路２４８は、上記判定結果を得た場合には比較回路２４６からの比較結果に拘わらず第一の制御信号を輪郭強調回路２５０に出力する。
【００３９】
ラインメモリ２５２は、例えば一ライン分の画素に対応する画像信号を格納することができる。ＣＣＤ信号処理回路２４２からの各画像信号を一ライン分格納したとき、それらの画像信号を、格納した順に一つ一つビデオ信号処理回路２５４に出力する。また、画像信号を一つ一つ出力する度に、ラインメモリ２５２にはＣＣＤ信号処理回路２４２からの新たな画像信号が入力される。上記新たな画像信号は、出力された画像信号を格納していたメモリ領域に上書きで保存される。
【００４０】
ここで、上述したように輪郭強調回路２５０には、例えば一ライン分の画素の画像信号の各々に対応して、第一の制御信号、第二の制御信号、又は、第三の制御信号の何れかが入力される。各制御信号は、輪郭強調回路２５０が各画像信号に対して施すべき輪郭強調の度合いを設定するための信号である。輪郭強調回路２５０は各制御信号に基づいて、ラインメモリ２５２からビデオ信号処理回路２５４に入力された各画像信号に対して輪郭強調を施す。
【００４１】
なお、プロセッサ２００は、ビデオ信号処理回路２５４において、ラインメモリ２５２からの画像信号の入力タイミングと、当該画像信号に対応した、輪郭強調回路２５０からの制御信号の入力タイミングとが同期するよう設計されている。
【００４２】
第一の制御信号は、輪郭強調の度合いを基準の設定値よりも低くするための信号である。輪郭強調回路２５０は第一の制御信号に応答して、飽和したと判定された画素の画像信号に対して基準よりも弱めの輪郭強調を施す。
【００４３】
第二の制御信号は、輪郭強調の度合いを基準の設定値にするための信号である。輪郭強調回路２５０は第二の制御信号に応答して、隣接画素とのコントラストが比較的高い画素の画像信号に対して基準の強度の輪郭強調を施す。
【００４４】
第三の制御信号は、輪郭強調の度合いを基準の設定値よりも高くするための信号である。輪郭強調回路２５０は第三の制御信号に応答して、隣接画素とのコントラストが比較的低い画素の画像信号に対して基準よりも強めの輪郭強調を施す。
【００４５】
ビデオ信号処理回路２５４は、上記何れかの制御信号に応じて画像信号に輪郭強調処理を施した後、モニタ３００で表示可能な形態（カラー信号と輝度信号）に変換する。変換後、カラー信号及び輝度信号を出力回路２５４に出力する。
【００４６】
出力回路２５６は、カラー信号及び輝度信号を各形式のビデオ信号（例えばコンポジットビデオ信号やＳビデオ信号或いはＲＧＢビデオ信号等）に変換してモニタ３００に出力する。これにより、モニタ３００に管腔の映像が表示される。
【００４７】
本実施形態では、上述したように、飽和したと判定された画素の画像信号に対して基準よりも弱めの輪郭強調を施している。このため、例えば飽和部分において僅かな濃淡やランダムノイズ或いは色味のある部分との境界が無駄に強調されて顕著なノイズ（不自然な模様や縁）となることが防止される。従って輪郭強調のトレードオフとして懸念されていた、観察対象に対する視認性や再現性の低下が好適に抑えられる。飽和部分は一般に所望の観察部位でないため、輪郭強調の必要性が低い。従って本実施形態の如く、飽和部分の輪郭強調を弱めてノイズを抑えることは極めて有益であると言える。
【００４８】
また、本実施形態では、上述したように、隣接画素とのコントラストが比較的低い画素の画像信号に対して基準よりも強めの輪郭強調を施している。例えば観察対象が胃である場合、低コントラストであり得る胃液が良好に輪郭強調されて、解像感の向上した映像としてモニタ上に表示される。上述したように体腔内の観察対象は一般に単調でのっぺりとした色合いであるため、そのような部分に対して強めの輪郭強調を施すことは極めて有益であると言える。
【００４９】
以上が本発明の実施形態である。本発明はこれらの実施形態に限定されるものではなく様々な範囲で変形が可能である。例えば別の実施形態では、第一の制御信号が輪郭強調処理を禁止させるための信号であっても良い。この場合、輪郭強調回路２５０は第一の制御信号に応答して、飽和したと判定された画素の画像信号に対して輪郭強調を施さない。
【００５０】
また、本実施形態では画素の一つ一つに対して輪郭強調の度合いを設定しているが、別の実施形態では複数の画素に対して上記処理が一括して実行されるようにしても良い。この場合、所定の差分範囲を判定用のパラメータとした判定処理が各画素に対してシリアルで実行されて、その結果が比較回路２４６のメモリ領域に記憶される。システムコントロールユニット２２０はそのメモリ領域を参照して、上記判定結果で所定の差分範囲内と判定された画素が所定数以上連続した場合、基準よりも強めの輪郭強調処理をそれらの画素に対して一括して施す。別の観点では、所定の差分範囲内と判定された画素が所定数以上連続しない場合、基準の強度の輪郭強調処理をそれらの画素（所定の差分範囲外と判定された、連続した画素）に対して一括して施す。すなわち別の実施形態では、モニタ３００上における低コントラスト部分がある程度の大きさを有していない限り、輪郭強調を強めに施さない。これにより、本発明における輪郭強調の設定変更の頻度が好適に抑えられて、その制御系の処理負担が軽減される。なお、ここでいうある程度の大きさとは、モニタ３００上において例えば術者が観察対象の性状を認識できる程度の大きさである。
【図面の簡単な説明】
【００５１】
【図１】本発明の実施の形態の電子内視鏡システムの外観を概略的に示した図である。
【図２】本発明の実施の形態の電子内視鏡システムの構成を示したブロック図である。
【符号の説明】
【００５２】
１０  電子内視鏡システム
１００  電子内視鏡
１５４  ＣＣＤ
２００  プロセッサ
２２０  システムコントロールユニット
２４４  飽和レベル検出回路
２４６  比較回路
２４８  輪郭強調制御回路
２５０  輪郭強調回路
２５２  ラインメモリ
２５４  ビデオ信号処理回路
３００  モニタ
【図１】
2007117154.tif 000003
【図２】
2007117154.tif 000004